(57)【要約】【課題】蓄電システムの劣化評価を、その機能を停止させることなく行う。【解決手段】本発明の実施形態としての蓄電池評価装置は、データ生成部と、劣化評価部とを備える。前記データ生成部は、充放電指令値に従って充放電制御される蓄電装置から測定される電流値および電圧値に基づき、前記蓄電装置の充電量と前記電圧値との複数の対応データを生成する。前記劣化評価部は、前記充放電制御により第１充電量範囲に属する前記対応データが得られた前記充放電指令値である第１充放電指令値の分布が、所定の条件を満たすとき、前記第１充電量範囲に属する前記対応データの前記電圧値の分布に基づいて、前記蓄電装置の劣化状態を評価する。
2017022037.tif 000002
【特許請求の範囲】
【請求項１】
充放電指令値に従って充放電制御される蓄電装置から測定される電流値および電圧値に基づき、前記蓄電装置の充電量と前記電圧値との複数の対応データを生成するデータ生成部と、
前記充放電制御により第１充電量範囲に属する前記対応データが得られた前記充放電指令値である第１充放電指令値の分布が、所定の条件を満たすとき、前記第１充電量範囲に属する前記対応データの前記電圧値の分布に基づいて、前記蓄電装置の劣化状態を評価する劣化評価部と、
を備えた蓄電池評価装置。
【請求項２】
前記第１充放電指令値の分布が、基準分布に等価かを判定し、前記第１充放電指令値の分布が前記基準分布に等価な場合に、前記所定の条件が満たされると判定する判定部
を備えた請求項１に記載の蓄電池評価装置。
【請求項３】
前記判定部は、前記第１充放電指令値の分布が前記基準分布に等価か否かを、ｔ検定により判定する
請求項２に記載の蓄電池評価装置。
【請求項４】
前記第１充電量範囲に属する前記対応データの前記電圧値に基づいて、前記電圧値のばらつきに関する特徴量を算出する特徴量算出部をさらに備え、
前記劣化評価部は、前記特徴量に基づいて前記蓄電装置の劣化状態を評価する
請求項１ないし３のいずれか一項に記載の蓄電池評価装置。
【請求項５】
前記劣化評価部は、前記特徴量と前記蓄電装置の劣化状態値とを対応づけた劣化状態評価データに基づき、前記蓄電装置の劣化状態値を取得し、前記劣化状態値に基づき前記蓄電装置の劣化状態を決定する
請求項４に記載の蓄電池評価装置。
【請求項６】
前記特徴量は、前記電圧値の標準偏差、分散、または、前記標準偏差および前記分散の一方に基づく値である
請求項４または５に記載の蓄電池評価装置。
【請求項７】
前記特徴量算出部は、前記蓄電装置の温度情報をさらに用いて、前記特徴量を算出する
請求項４ないし６のいずれか一項に記載の蓄電池評価装置。
【請求項８】
前記充放電指令値は充放電電力値を指定しており、
前記第１充放電指令値の分布は、前記第１充放電指令値の時間による一次微分値の分布である
請求項１ないし７のいずれか一項に記載の蓄電池評価装置。
【請求項９】
前記劣化評価部は、前記蓄電装置の前記劣化状態に応じた情報を、前記蓄電装置に対する監視システムに、通信ネットワークを介して送信する
請求項１ないし８のいずれか一項に記載の蓄電池評価装置。
【請求項１０】
前記蓄電装置は、
セル、
複数の前記セルを直列または並列または直並列に接続したモジュール、
複数の前記モジュールを直列または並列または直並列に接続した電池盤、または
複数の前記電池盤を直列または並列または直並列に接続した電池アレイ
である、
請求項１ないし９のいずれか一項に記載の蓄電池評価装置。
【請求項１１】
複数のセルを含む複数のモジュールを備える少なくとも１つの電池盤を有する蓄電池と、
充放電指令値に従って、前記蓄電池の充放電制御を行う充放電制御部と、
前記セル、前記モジュールまたは前記電池盤、である蓄電装置から測定される電流値および電圧値に基づき、前記蓄電装置の充電量と前記電圧値との複数の対応データを生成するデータ生成部と、
前記充放電制御により第１充電量範囲に属する前記対応データが得られた前記充放電指令値である第１充放電指令値の分布が、所定の条件を満たすとき、前記第１充電量範囲に属する前記対応データの前記電圧値の分布に基づいて、前記蓄電装置の劣化状態を評価する劣化評価部と、
を備えた蓄電システム。
【請求項１２】
充放電指令値に従って充放電制御される蓄電装置から測定される電流値および電圧値に基づき、前記蓄電装置の充電量と前記電圧値とを対応づけた関係データを生成する関係データ生成ステップと、
前記充放電制御により第１充電量範囲に属する前記対応データが得られた前記充放電指令値である第１充放電指令値の分布が、所定の条件を満たすとき、前記第１充電量範囲に属する前記対応データの前記電圧値の分布に基づいて、前記蓄電装置の劣化状態を評価する劣化評価ステップと、
を備えた蓄電池評価方法。
【発明の詳細な説明】
【技術分野】
【０００１】
本発明の実施形態は、蓄電池評価装置、蓄電システムおよび蓄電池評価方法に関する。
【背景技術】
【０００２】
蓄電システム（ＥＳＳ：Ｅｎｅｒｇｙ  Ｓｔｏｒａｇｅ  Ｓｙｓｔｅｍ）は充放電機能を備えており、電力系統が供給する電力の安定や、電力系統における周波数変動の抑制など、電力品質の向上のために用いられる。また、蓄電システムは、需要家のピーク使用量の削減のためにも用いられる。このような蓄電システムは、今後市場の拡大が期待されている。【０００３】
蓄電システムは、系統の電力品質向上の用途では、基本的に２４時間／３６５日運転稼働する。このため、蓄電システムの劣化評価を行う場合、蓄電システムの機能を停止させずに、当該劣化評価を行うことが望まれる。現状の主流は、充放電履歴に基づき劣化推定を行うものであるが、２０年といった長期間にわたる運転での状態評価はまだ実現していない。また、蓄電システムのモニタリングおよび遠隔監視により劣化推定を行う方法があるが、これもまだ実現していない。車載用途や配電側用途の蓄電システムでは、稼働中の蓄電システムを停止させることができるため、蓄電システムを停止させて、実際に充放電試験を行って、精密な劣化評価を行うことができる。しかしながら、電力系統における電力品質向上の用途の蓄電システムでは、稼働中の蓄電システムを停止できないため、この方法は現実的ではない。
【先行技術文献】
【特許文献】
【０００４】
【特許文献１】特開２０１５−３１６７４号公報
【発明の概要】
【発明が解決しようとする課題】
【０００５】
本発明の実施形態は、蓄電システムの機能を停止させることなく、当該蓄電システムの劣化評価を行うことを目的とする。
【課題を解決するための手段】
【０００６】
本発明の実施形態としての蓄電池評価装置は、データ生成部と、劣化評価部とを備える。【０００７】
前記データ生成部は、充放電指令値に従って充放電制御される蓄電装置から測定される電流値および電圧値に基づき、前記蓄電装置の充電量と前記電圧値との複数の対応データを生成する。【０００８】
前記劣化評価部は、前記充放電制御により第１充電量範囲に属する前記対応データが得られた前記充放電指令値である第１充放電指令値の分布が、所定の条件を満たすとき、前記第１充電量範囲に属する前記対応データの前記電圧値の分布に基づいて、前記蓄電装置の劣化状態を評価する。
【図面の簡単な説明】
【０００９】
【図１】本発明の実施形態に係る蓄電システムを示す図。
【図２】蓄電池の構成例を示す図。
【図３】電池モジュールの構成の一例を示す図。
【図４】蓄電池評価部の構成を示すブロック図。
【図５】充放電指令値データ、電圧データおよび電流データのグラフ例を示す図。
【図６】充電量データおよび温度データのグラフ例を示す図。
【図７】ＱＶデータの例を示す図。
【図８】対象指令値分布と基準指令値分布の例を示す図。
【図９】電圧分布とその統計情報の例を示す図。
【図１０】劣化状態評価データの例を示す図。
【図１１】劣化状態評価画面の例を示す図。
【図１２】劣化状態評価画面の他の例を示す図。
【図１３】本発明の実施形態に係る蓄電システムの動作のフローチャートを示す図。
【図１４】本発明の実施形態に係るハードウェア構成例を示す図。
【発明を実施するための形態】
【００１０】
以下、図面を参照しながら、本発明の実施形態について説明する。
【００１１】
図１に、本発明の実施形態に係る蓄電システム（ＥＳＳ：Ｅｎｅｒｇｙ  Ｓｔｏｒａｇｅ  Ｓｙｓｔｅｍ）１０１を示す。蓄電システム１０１は、充放電制御部１１１と、ＡＣ／ＤＣ変換機１１２と、蓄電池１１３と、本実施形態に係る蓄電評価装置に対応する蓄電池評価部１１４とを備える。蓄電システム１０１は、ＳＣＡＤＡ２０１からの充放電指令値（電力指令値）に応じて、電力系統に対する充放電を行う機能を有するとともに、蓄電池１１３の劣化評価を行って、蓄電池１１３の状態を表すＥＳＳ状態情報をＥＳＳ監視システム３０１に通知する機能を有する。以下、蓄電システム１０１についてさらに詳細に説明する。
【００１２】
蓄電システム１０１は、変圧器４０２を介して、電力系統４０１に接続されている。変圧器４０２は、電力系統４０１から送電される電力の電圧を変換し、変換後の電力が蓄電システム１０１に供給される。また変圧器４０２は、蓄電システム１０１から放電される電力を系統４０１用の電圧に変換して、変換後の電力を系統４０１に供給する。
【００１３】
蓄電システム１０１は、通信ネットワークを介して、ＳＣＡＤＡ２０１に接続されている。ＳＣＡＤＡ２０１（Ｓｕｐｅｒｖｉｓｏｒｙ  Ｃｏｎｔｒｏｌ  Ａｎｄ  Ｄａｔａ  Ａｃｑｕｉｓｉｔｉｏｎ）は、地域内に存在する様々な蓄電システム（ＥＳＳ）１０１を１つの大型ＥＳＳに見立て、個々のＥＳＳに、時間に応じて充放電電力を指示した充放電指令値（電力指令値）を送る。これにより、電力系統４０１に対する個々のＥＳＳの充放電を制御する。充放電指令値は、充電の指令値および放電の指令値の両方、もしくはこれらのうちの少なくとも一方を含む。図１における蓄電システム１０１は、地域内に存在する様々なＥＳＳのうちの１つに相当する。ＳＣＡＤＡ２０１は、個々のＥＳＳの充放電の制御を、電力会社の中央給電指令所など、上位のエネルギー・マネジメント・システムからの指令、または配電側の個々のエネルギー管理システム（Ｅｎｅｒｇｙ  Ｍａｎａｇｅｍｅｎｔ  Ｓｙｓｔｅｍ）からの指令、またはこれらの両方等に基づき行う。
【００１４】
蓄電システム１０１は、通信ネットワークを介して、ＥＳＳ監視システム３０１に接続されている。ＥＳＳ監視システム３０１は、蓄電システム１０１から提供されるＥＳＳ状態情報に基づき、蓄電システム１０１を監視する。ＥＳＳ監視システム３０１はモニタを備え、監視に基づき画面データを生成して、モニタに表示する。監視員は、モニタに表示された画面を参照することで、ＥＳＳの状態を把握する。ＥＳＳ監視システム３０１は、ＥＳＳの監視結果に応じて、または監視員の指令に応じて、ＥＳＳの動作を制御してもよい。
【００１５】
蓄電システム１０１およびＥＳＳ監視システム３０１間を接続する通信ネットワークと、ＳＣＡＤＡ２０１および蓄電システム１０１間を接続する通信ネットワークは同じであっても、異なっても良い。通信ネットワークは、無線ネットワーク、有線ネットワーク、またはこれらの混合であってもかまわない。通信プロトコルは、ＳＣＡＤＡ２０１またはＥＳＳに対して独自に定められたプロトコルであっても、汎用のプロトコルまたはこれをベースとしたものであってもかまわない。
【００１６】
蓄電システム１０１の充放電制御部１１１は、ＳＣＡＤＡ２０１から充放電指令値を逐次受信し、当該充放電指令値に基づき、ＡＣ／ＤＣ変換機が解釈可能な充電または放電の命令（充放電命令）を生成する。充放電制御部１１１は、生成した充放電命令をＡＣ／ＤＣ変換機１１２に送る。ＡＣ／ＤＣ変換機が充放電指令値をそのまま解釈可能な場合は、充放電指令値をそのまま送ってもよい。また、充放電制御部１１１は、受信した充放電指令値を蓄電池評価部１１４に送る。この際、当該充放電指令値を蓄電池評価部１１４が解釈可能な形式に変換して送ってもよい。
【００１７】
ＡＣ／ＤＣ変換機１１２は、系統４０１側の交流電力と蓄電池１１３側の直流電力とを、双方向に変換する機能を有する。ＡＣ／ＤＣ変換機１１２は、単一のＡＣ／ＤＣコンバータを含んでも良いし、ＡＣ／ＤＣコンバータ、ＤＣ／ＤＣコンバータ、ＡＣ／ＡＣコンバータのうちの２種類以上のコンバータを任意に接続したものでもよい。例えば、ＡＣ／ＤＣコンバータと、ＤＣ／ＤＣコンバータを直接に接続してもよいし、ＡＣ／ＡＣコンバータとＡＣ／ＤＣコンバータを直接に接続してもよいし、ＡＣ／ＡＣコンバータとＡＣ／ＤＣコンバータとＤＣ／ＤＣコンバータとをこの順で直列に接続してもよい。ＡＣ／ＤＣ変換機１１２は、充放電制御部１１１からの充放電命令に応じて蓄電池１１３に対する充放電の実行を行う。
【００１８】
蓄電池１１３は、電気エネルギーを蓄積（充電）および放電可能な蓄電池である。蓄電池１１３は、例えば１つ以上の電池盤を備える。各電池盤は、一例として、１つ以上の電池モジュールと、１つのＢＭＵ（Ｂａｔｔｅｒｙ  Ｍａｎａｇｅｍｅｎｔ  Ｕｎｉｔ：電池監視部）とを備える。各電池モジュールは、複数の単位電池（セル）を備える。各電池モジュールが、１つのＣＭＵ（Ｃｅｌｌ  Ｍｏｎｉｔｏｒｉｎｇ  Ｕｎｉｔ：セル監視部）を備えてもよい。各電池盤が備える電池モジュールの数は、同数でも異なってもよい。各電池モジュールが備えるセルの数は、同数でも異なってもよい。また、各電池盤および各電池モジュールが備えるＢＭＵおよびＣＭＵは１つとしているが、複数あってもよい。蓄電池１１３は、ＡＣ／ＤＣ変換機１１２からの放電指示に応じて、セル群に蓄電している電力をＡＣ／ＤＣ変換機１１２に放電し、また充電指示に従って、ＡＣ／ＤＣ変換機１１２を介して系統４０１から供給される電力をセル群に充電する。セル、電池モジュール、電池盤および蓄電池は、それぞれいずれも、電気エネルギーを内部に蓄積する蓄電装置の一形態である。
【００１９】
図２は、蓄電池の構成例を示す図である。複数の電池盤１１が並列に接続されて、電池アレイが構成されている。各電池盤１１において、複数の電池モジュール１２が直列に接続されている。各電池盤１１は、ＢＭＵ１３を備えている。図２で示した構成は一例であり、複数の電池モジュール１２が並列に接続されてもよいし、複数の電池モジュール１２が直並列に接続されてもよい。また、複数の電池盤が、直列または直並列に接続されていてもよい。ＢＭＵ１３は、蓄電池評価部１１４と情報を送受信する通信部を備えていてもよい。当該通信部は、ＢＭＵ１３とは独立した機能として、電池盤１１の内部または外部に配置されていてもよい。
【００２０】
図３は、電池モジュール１２の構成の一例を示す図である。電池モジュール１２は、複数のセル１４が直並列に接続された構成を備える。図３で示した構成は一例であり、他の構成も可能である。例えば、複数のセル１４が直列にのみ接続される形態、並列にのみ接続される形態も可能である。図３の例では、電池モジュール１２にＣＭＵが備えられていてもよい。セル１４は、充放電が可能な２次電池である。例えば、リチウムイオン電池、リチウムイオンポリマー電池、鉛蓄電池、ニッケルカドミウム電池、ニッケル水素電池などが挙げられる。
【００２１】
各セルに対して、電圧、電流、温度等のパラメータを測定する測定部（図示せず）が配置されている。同様に、各電池モジュール１２に対して、電池モジュールの電圧、電流、温度等のパラメータを測定する測定部（図示せず）が配置されている。また、各電池盤に対して、電池盤の電圧、電流、温度等のパラメータを測定する測定部（図示せず）が配置されている。また電池アレイ（蓄電池１１３）に対して、蓄電池１１３の電圧、電流、温度等のパラメータを測定する測定部（図示せず）が配置されている。ここでは、セル、電池モジュール、電池盤、および蓄電池１１３のすべての蓄電装置の種類に対して、電圧、電流、温度等を測定する測定部が配置されているとしたが、これらのうちの一部の種類にのみ配置されていてもよい。また、セルの場合、すべてのセルではなく、一部のセルにのみ測定部が配置されてもよく、このことは、他の種類の蓄電装置（電池モジュール、電池盤）でも同様である。また、各測定部は、電圧、電流、温度以外に、湿度など、他のパラメータを測定してもよい。
【００２２】
蓄電池１１３は、評価対象となる蓄電装置（１つのセル、１つの電池モジュール、１つの電池盤、または蓄電池など）に関する電池情報を蓄電池評価部１１４に送出する。電池情報は、測定部により測定されたパラメータ（電圧、電流、温度等）を含む。
【００２３】
蓄電池１１３は、予備のセルまたは予備の電池モジュールまたは予備の電池盤を含んでいてもよい。この場合、故障のセルまたは故障の電池モジュールまたは故障の電池盤が発生した場合は、当該故障したセルまたは故障した電池モジュールまたは故障の電池盤を、予備のセルまたは予備の電池モジュールまたは予備の故障盤に切り換えるようになっていてもよい。
【００２４】
蓄電池評価部１１４は、蓄電池１１３から受け取る、評価対象となる蓄電装置の電池情報と、充放電制御部１１１から受け取る充放電指令値に基づき、評価対象の蓄電装置の劣化状態を評価する。蓄電池評価部１１４は、評価対象となる蓄電装置の劣化状態を含むＥＳＳ状態情報を、ＥＳＳ監視システム３０１に送信する。
【００２５】
図４は、蓄電池評価部１１４の構成を示すブロック図である。蓄電池評価部１１４は、情報取得部１５０、情報記憶部１５１、分析部１５２、分布等価判定部（判定部）１５３、電池状態記憶部１５４、ＱＶデータ生成部（データ生成部）１５６、特徴量算出部１５８、劣化評価部１７０を備える。劣化評価部１７０は、ＳｏＨ算出部１５９、およびメンテナンス計画部１６０を備える。電池状態記憶部１５４は、基準分布データベース（ＤＢ）１５５を備える。
【００２６】
情報取得部１５０は、蓄電池１１３に電気的に接続されており、蓄電池１１３から評価対象となる蓄電装置の電池情報（電流、電圧、温度等）を受け取る。情報記憶部１５１は、情報取得部１５０により取得された電池情報を内部に記憶する。電池情報に時刻情報が付加されており、当該時刻情報に基づいて時系列に電池情報を記憶してもよい。あるいは、時刻を係数する時計から時刻情報を取得して、受け取った電池情報に当該時刻情報を関連づけて記憶してもよい。
【００２７】
また情報取得部１５０は、充放電制御部１１１から充放電指令値を取得する。情報記憶部１５１は、情報取得部１５０により取得された充放電指令値を内部に記憶する。充放電指令値に時刻情報が付加されており、当該時刻情報に基づいて時系列に充放電指令値を記憶してもよい。あるいは、時刻を係数する時計から時刻情報を取得して、受け取った充放電指令値に当該時刻情報を関連づけて記憶してもよい。
【００２８】
図５（Ａ）に、充放電指令値を経過時間に応じて配置したデータ（充放電指令値データ）のグラフを示す。０より大きい値が放電指令値、０より小さい値が充電指令値である。
【００２９】
図５（Ｂ）に、電池情報に示される電圧値を時間経過に応じて配置したデータ（電圧データ）のグラフを示す。
【００３０】
図５（Ｃ）に、電池情報に示される電流値を時間経過に応じて配置したデータ（電流データ）のグラフを示す。０より大きい値が放電電流、０より小さな値が充電電流を表す。
【００３１】
図６（Ａ）に、蓄電装置の充電量を時間経過に応じて配置した充電量データのグラフを示す。ここでは充電量をＳＯＣ（Ｓｔａｔｅ  Ｏｆ  Ｃｈａｒｇｅ）で表している。ＳＯＣの単位は、％としている。なお、充電量が０の場合を０％、規定容量の充電量を１００％としてもよいし、予め定めた範囲の下限を０％、上限を１００％にするなど、任意に定めてもよい。このグラフは、充放電開始時の充電量（初期状態の充電量）から、充電または放電される電流を累積（積分）していくことで得られる。蓄電池１１３が出力する電池情報に充電量に関する情報が含まれる場合は、この情報を利用してＳＯＣのグラフを取得してもよい。
【００３２】
図６（Ｂ）に、蓄電装置の温度を時間経過に応じて表した温度データのグラフを示す。温度の代わりに、充放電開始時からの温度の平均、あるいは一定時間前までの温度の平均値を利用してもよい。
【００３３】
図５および図６に示した以外の項目についても、電池情報に当該項目が存在すれば、あるいは、当該項目が、電池情報に含まれる複数の項目から計算可能であれば、その項目についても、当該項目の値を時間経過に応じて配置したデータを得ることができる。
【００３４】
ＱＶデータ生成部１５６は、情報記憶部１５１に記憶された情報に基づき、充電量と電圧との複数の対応データからなるＱＶデータを生成する。充電量と電圧との関係をＱ−Ｖ特性と呼ぶこともある。ＱＶデータは、例えば図５（Ｃ）の電流データから図６（Ａ）の充電量データを生成し、当該充電量データと図５（Ｂ）の電圧データとから、充電量と電圧とを一対一に対応づけた複数の対応データを生成することで得られる。これらの複数の対応データを充電量（Ｑ）と電圧（Ｖ）をそれぞれ軸とする座標系にプロットしたＱＶデータ例を図７（Ａ）に示す。充電量はＳＯＣ（％）により表している。図７（Ｂ）に、所定の充電量範囲（評価範囲）１９１を示す。この例では所定の充電量範囲は６９より大きく７０未満の範囲である。後に詳述するように本実施形態では、所定の充電量範囲１９１の電圧のばらつきに基づき、蓄電装置の劣化状態を評価することを特徴の１つとする。
【００３５】
分析部１５２は、情報記憶部１５１に記憶された充放電指令値のうち、所定の充電量範囲に属する充放電指令値を特定し、特定した充放電指令値と頻度との関係を表した指令値分布（対象指令値分布）を生成する。所定の充電量範囲に属する充放電指令値とは、充放電制御により所定の充電量範囲に属する充電量を含む対応データが得られた充放電指令値である。つまり、充放電指令値のうち、その実行により測定された電流値を累積して計算される蓄電装置の充電量が、当該所定の充電量範囲に存在することとなる充放電指令値のことである。
【００３６】
図８（Ｂ）に、対象指令値分布（指令値サンプルの分布）の例を示す。横軸が指令値、縦軸が頻度（度数）である。一例として、０より大きな値の指令値は、放電指示であり、０より小さな値の指令値は充電指示である。図における曲線は、このヒストグラムを近似する正規分布であり、このヒストグラムは正規性があるといえる。
【００３７】
また、分析部１５２は、対象指令値分布に基づき、平均、標準偏差等の統計情報を計算する。図８（Ｂ）には、図８（Ｂ）の対象指令値分布から計算された統計情報の例も示されている。ここでは平均μＢ、標準偏差σＢ、データ数ｎＢが示されている。
【００３８】
電池状態記憶部１５４は、基準分布データベース１５５を格納している。基準分布データベース１５５は、充放電指令値と頻度との基準となる関係を表す基準指令値分布（基準分布）と、基準指令値分布の統計情報とを含む。基準分布データベース１５５に含まれる基準指令値分布と、その統計情報の例を図９（Ａ）に示す。ここでは統計情報の例として、平均μＡ、標準偏差σＡ、データ数ｎＡが示されている。
【００３９】
分布等価判定部１５３は、分析部１５２で算出された対象指令値分布が、充放電指令値の頻度に関する条件（所定の条件）を満たすかを判定する。ここでは、対象指令値分布が、基準分布データベース１５５に含まれる基準指令値分布に等価であるかを判定し、等価である場合は条件を満たし、等価でない場合は条件を満たさないと判定する例を示す。
【００４０】
２つの分布間の等価性を判断する方法の例として、二標本ｔ検定（パラメトリック法）を用いることができる。この方法では、対象指令値分布と、基準指令値分布のそれぞれの正規性を確認するとともに、両者間の等分散性を確認した上で、両分布間に差がないとする帰無仮説をたてる。正規性の確認は、アンダーソンダーリング検定などの正規性検定を用いればよい。等分散性の確認は、Ｆ検定などの等分散検定を用いればよい。基準指令値分布の平均値
2017022037.tif 000003
と標準偏差
2017022037.tif 000004
と、今回の対象指令値分布の平均値
2017022037.tif 000005
と標準偏差
2017022037.tif 000006
を求め、以下の式で、ｔ０値を求める。ｎ１は基準指令値分布に関する標本数、ｎ２は今回の対象指令値分布に関する標本数である。
【数１】
2017022037.tif 000007
ｔ０値は、自由度 φ のｔ 分布に従うことが知られている。自由度φを、以下の定義に従って求める。
【数２】
2017022037.tif 000008
【００４１】
危険率αと自由度φからｔ分布表により、ｔ値の臨界値（ｔ(φ;α)と表記する）を取得する。一般的に、危険率αが５％のときに、ｔ０≦ｔ(φ;α)ならば、両分布の平均値に有意差がないことを否定できない、すなわち、有意差は認められない。この場合、両分布は等価であるとみなせる。逆に、ｔ０＞ｔ(φ;α)ならば、両分布間に差があるとみなせる。
【００４２】
特徴量算出部１５８は、分布等価判定部１５３により両分布が等価であると判断された場合、ＱＶデータ生成部１５６で生成されるＱＶデータから、所定の充電量範囲（評価範囲）に属する対応データ（Ｑ、Ｖ）の電圧値の分布を求める。具体的に、特徴量算出部１５８は、所定の充電量範囲（評価範囲）に属する対応データ（Ｑ、Ｖ）を特定する。図７（Ｂ）に、所定の充電量範囲１９１が６９より大きく７１より小さい範囲（６９＜Ｑ＜７１）である場合に、当該範囲に属する対応データを特定する例を示す。そして、特定した対応データから、電圧値と頻度との関係を表した電圧分布（Ｖ分布）を生成する。例えば横軸が電圧［Ｖ］、縦軸が頻度（度数）のヒストグラムを生成する。また、特徴量算出部１５８は、当該電圧分布の平均、標準偏差等の統計情報を計算する。
【００４３】
図９に、ＱＶデータにおいて当該範囲１９１（図７（Ｂ）参照）に属する対応データの電圧値から生成したＶ分布とその統計情報の例を示す。図における曲線は、このヒストグラムを近似する正規分布であり、この電圧分布は正規性を有すると言える。図の右には、統計情報の計算例が示されている。例えば平均はＶμ、標準偏差はＶσ、サンプル数（データ数）はｎＶとなっている。
【００４４】
特徴量算出部１５８は、電圧分布（電圧値の分布）またはそれから算出される統計情報に基づき、蓄電装置の特徴量を算出する。特徴量は、電圧のばらつき（変化の度合い）を表現する値であれば何でもよく、一例として、電圧分布の標準偏差または分散がある。または標準偏差または分散に基づく値であれば、その他の値でもよい。
【００４５】
上述した説明では、分布等価判定部１５３により対象指令値分布が基準指令値分布に等価であると判定された場合に、電圧分布および特徴量の算出を行ったが、両分布間の等価の判定とは別に、電圧分布および特徴量の算出を並行して（同時に）行い、両分布が等価と判定された場合に、そのときの特徴量を採用するようにしてもよい。
【００４６】
また上述した例では、対象指令値分布が基準指令値分布に等価であった場合に、充放電指令値の頻度に関する条件（所定の条件）が満たされるとしたが、別の方法を用いてもよい。例えば対象指令値分布の平均と標準偏差が、それぞれ予め定めた範囲に含まれる場合は、当該所定の条件が満たされるなど、簡易的な方法を用いてもよい。当該予め定めた範囲は、基準指令値分布の平均および標準偏差等に基づいて決定してもよい。
【００４７】
ＳｏＨ算出部１５９は、特徴量算出部１５８で算出された特徴量と、劣化状態評価データとに基づき、蓄電装置の劣化状態（ＳｏＨ）を評価する。劣化状態評価データは、劣化状態値と特徴量とを対応づけたデータである。劣化状態は、蓄電装置の劣化具合を表すものであれであれば何でもよいが、例えば初期容量に対する現在容量の比（現在容量／初期容量）を用いることができる。あるいは、内部抵抗の値、またはその他の種類の値を用いてもよい。
【００４８】
ＳｏＨ算出部１５９は、劣化状態評価データにおいて、当該算出された特徴量に対応する劣化状態値を特定し、特定した劣化状態値に基づき、蓄電装置の劣化状態を決定する。図１０に、劣化状態評価データの例を示す。この劣化状態評価データは、特徴量とＳｏＨ（ここでは現在容量／初期容量のパーセント表示）とを対応づけた関数Ｙ＝ｆ（Ｖσ６９−７１）である。Ｖσ６９−７１は、所定の充電量範囲が６９より大きく７１未満のときの電圧の標準偏差を表す。関数の出力ＹはＳｏＨ値を表している。本例では図９に示したように、標準偏差はＶσであるから、Ｙ＝ｆ（Ｖσ）により、劣化状態値がＹ１として計算されている。
【００４９】
ここで、所定の充電量範囲（評価範囲）に属する対応データの電圧値のばらつきに関する特徴量（上記の例では標準偏差）から劣化状態を評価できる理由について説明する。実行する充放電指令値に応じて蓄電装置に対して入力または出力される電流は異なり、蓄電装置（電池セル、電池モジュール、電池盤、または蓄電池など）の内部抵抗は、入力または出力の電流に応じて変化する。このため、先に示した図７（Ａ）からも理解されるように、充電量と電圧との関係は一定にならない（充電量と電圧の関係は一次直線にならない）。また、蓄電装置の種類（型番または材料など）および劣化状態（ＳｏＨ）に応じて、充電量と電圧との関係（ＱＶ特性）において、電圧のばらつきが顕著に現れる充電量範囲が存在する。さらにその範囲内でも、入力または出力される電流に応じて（実行される充放電指令値に応じて）、また充電量に応じて、測定される電圧は変化する。
【００５０】
そこで、予め、複数の劣化状態の蓄電装置（同じ種類の蓄電装置）で、例えば同じパターンの充放電指令値群を用いて充放電を行い、ＱＶデータを取得する。この際、各蓄電装置の初期充電量等の条件は同じにしてもよい。そして、各ＱＶデータで電圧のばらつきが劣化状態に応じて大きく変化する充電量範囲を、各劣化状態間で共通に特定する。ここで、充電量範囲を狭い範囲に特定することで、前述した本実施形態に従って対象指令値分布と等価性を判断する場合において、当該充電量範囲内で充放電指令値が実行されるときの充電量の相違を吸収することができる。そして、当該充電量範囲で電圧のばらつきを表す特徴量（標準偏差等）と劣化状態値とを対応づけた劣化評価データを作成し、またこの充電量範囲に属する充放電指示群に基づき、基準指令値分布を生成する。各劣化状態で充電量範囲に属する充放電指示群は同じ（あるいは等価）とみなして、いずれか１つの劣化状態に対応する充電量範囲に属する充放電指示群の分布を基準指令値分布として採用してもよい。なお、特定した充電量範囲内で充放電指令値の頻度が同じ（または等価）になるような充放電指令値群を別途用意して実行して、各劣化状態の蓄電装置の測定を行って、同様にして劣化評価データおよび基準値指令値分布を生成してもよい。
【００５１】
このようにして生成した劣化評価データを用いることで、所定の充電量範囲内の指令値分布が基準指令値分布と等価な充放電指令値群が与えられた場合は、上述した処理によって蓄電装置の劣化状態を評価可能である。
【００５２】
メンテナンス計画部１６０は、ＳｏＨ算出部１５９により計算された蓄電装置の劣化状態、または、情報記憶部１５１および電池状態記憶部１５４に記憶された情報、または、これらの両方に基づき、蓄電装置の状態に関するＥＳＳ状態情報を生成する。メンテナンス計画部１６０は、ＥＳＳ状態情報を、通信ネットワークを介して、ＥＳＳ監視システム３０１に送信する。
【００５３】
ＥＳＳ状態情報の一例として、メンテナンス計画部１６０は、蓄電装置の稼働可否に関する情報を送信してもよい。具体的に、メンテナンス計画部１６０は、蓄電装置のＳｏＨに基づき、蓄電池１１３の稼働可否を判断する。例えばＳｏＨの範囲を閾値Ａと、閾値Ｂを用いて３つに区切り、閾値Ａ以下の範囲１、閾値Ａより大きく閾値Ｂ以下の範囲２、閾値Ｂ以上の範囲３を得る。蓄電装置のＳｏＨが範囲１に属する場合は、これ以上の蓄電池１１３の稼働は不可（すなわち、蓄電池１１３は寿命を迎えた）と判断して、故障アラートのメッセージを、ＥＳＳ監視システム３０１に通知してもよい。範囲２に属する場合は、まだ稼働は可能であるが、メンテナンスが必要であると判断し、メンテナンス・コールのメッセージをＥＳＳ監視システム３０１に通知してもよい。範囲３に属する場合は、蓄電池１１３は正常で、今後も稼働可能であると判断する。その場合に、ＥＳＳ監視システム３０１には、蓄電池１１３が正常である（故障はなく、メンテナンスの必要もまだない）旨のメッセージを通知してもよいし、そのような通知を特段行わなくてもよい。
【００５４】
ここで述べた稼働可否の判断方法は一例であり、別の判断方法を用いてもよい。例えば、複数回の劣化評価により複数のＳｏＨを算出し、これらのＳｏＨの平均、中央値、最大値、または最小値を利用して、稼働可否の判断を行っても良い。
【００５５】
また、例えば、特徴量（またはＳｏＨ）の遷移から稼働可否を判断する状態遷移モデルを生成しておき、当該状態遷移モデルと、複数回の劣化評価により算出した複数の特徴量（または複数のＳｏＨ）に基づき、稼働可否の判断を行ってもよい。
【００５６】
または、ロジスティック回帰分析等により特徴量から故障確率を判定するモデルを生成しておき、当該モデルと、算出した特徴量から故障率を算出し、当該故障率の値から、稼働可否を判断してもよい。ここで例示した以外の方法で、稼働可否を判断することも、もちろん可能である。
【００５７】
稼働可否に関する情報の他、ＥＳＳ状態情報として、充放電指令値データ（電力指令値データ）、電圧データ、電流データ、充電量データ、温度データを送信してもよい。また、上記した所定の充電量範囲における電圧の分布を表す電圧分布データ（電圧ヒストグラム）または当該電圧分布を近似する正規分布のデータを送信してもよい。また上記所定の充電量範囲に属する充放電指令値の分布を表す指令値分布データ、または当該指令値分布を近似する正規分布のデータを送信してもよい。また、劣化状態を特定する際に用いた劣化状態評価データを送信してもよい。また今回測定された劣化状態（ＳｏＨ）を示す情報を送信してもよい。また、ＱＶデータを送信してもよい。ここで述べた以外のデータを送信してもよい。
【００５８】
ＥＳＳ監視システム３０１は、ＥＳＳ１０１からＥＳＳ状態情報を受信し、ＥＳＳ状態情報に基づき、管理者が蓄電池１１３の状態を評価するための画面（劣化状態評価画面）を表示装置に表示する。また、ＥＳＳ状態情報に稼働可否情報が含まれているとき、当該稼働可否情報に応じた動作を行ってもよい。例えば稼働可否情報が稼働不可を示す場合は、故障アラートのメッセージを当該画面に表示してもよい。稼働は可能であるが、メンテナンスが必要である場合は、メンテナンス・コールのメッセージを画面に表示してもよい。蓄電池１１３が正常である場合は、蓄電池１１３の正常を通知するメッセージを画面に表示してもよい。画面への表示の他、スピーカを介して故障アラート、メンテナンス・コール、または蓄電池１１３の正常を通知するメッセージ音を出力してもよい。また稼働不可は赤色、稼働可能であるがメンテナンスが必要な場合は黄色、および蓄蓄電池１１３が正常な場合は緑色など、画面に色を表示（例えば点灯）させることで、ＥＳＳ１０１の稼働状態を通知してもよい。
【００５９】
図１１に、ＥＳＳ監視システム３０１の表示装置に表示される劣化状態評価画面の例を示す。この画面の左側には、充放電指令値データ（電力指令値データ）、電圧データ、電流データ、充電量データ、温度データがそれぞれ経過時間に応じて表示されている。また、中央には、電圧分布を近似する正規分布のデータと、ＱＶデータが表示されている。また右側には、充放電指令値の分布を近似する正規分布のデータと、劣化状態評価データが表示されている。管理者は、この画面を見ることで、蓄電池１１３の状態を監視することができる。劣化状態評価画面に、各種のメッセージを表示するメッセージ表示部が配置されてもよい。メッセージ表示部を備えた劣化状態評価画面の例を図１２に示す。蓄電池１１３の状態に応じたメッセージをメッセージ表示部２０２に表示する。例えば蓄電池１１３が稼働不可と判断された場合には、「蓄電池１１３は故障しています」など、故障アラートのメッセージを表示する。図における「・・・・」は、任意のメッセージが表示されている状態を表現している。なお、メッセージは、ポップアップ表示など、別の形態で表示されてもよい。
【００６０】
ここで特徴量算出部１５８は、上述した方法で算出した特徴量（電圧分布の標準偏差）を、蓄電装置の温度に応じて補正し、補正後の特徴量をＳｏＨ算出部１５９で用いてもよい。これにより、温度に対する電圧分布の依存性を考慮でき、より精度の高い劣化状態推定が可能となる。補正は、例えば以下の式で行うことができる。
【００６１】
ＦＶ＝α＊ＥＸＰ（１／Ｔ）＊σ    式（３）
ＦＶ：補正後の劣化特徴量
α：温度係数
Ｔ：蓄電装置（セルまたは電池モジュールまたは電池盤等）の温度
σ：ある充電量範囲に属する電圧の分布の標準偏差（すなわち補正前の特徴量）
【００６２】
ある劣化状態の蓄電装置について、複数の温度ごとに、特定パターンの充放電指令値群で充放電を行った場合における所定の充電量範囲内で特徴量（電圧分布の標準偏差）の算出を行い、温度と特徴量の関係を表すデータ（温度−特徴量データ）を得る。同様の処理を、異なる劣化状態の蓄電装置についても行い、各処理では蓄電装置の初期の充電量を同じにしてもよい。次に、複数の劣化状態に対する温度−特徴量データに基づき、ある基準となる温度（基準温度）に対して、他の温度での各劣化状態での特徴量を、基準温度の各劣化状態での特徴量に一致または近似させるような温度係数αを、上記の式（３）の形を制約として決定する。決定の方法は最小二乗法など何でもよい。これにより、基準温度以外の他の温度ごとに、αの値を決定することができる。ここでは基準温度以外の他の温度ごとにαを決定したが、これらの他の温度に共通のαの値を決定してもよい。また、ＥＸＰ（１／Ｔ）以外の関数形を用いてもよい。
【００６３】
図１３は、本発明の実施形態に係る蓄電システムの動作のフローチャートである。
【００６４】
蓄電システム１０１は、任意のタイミングで、蓄電装置の劣化状態評価処理を開始する。ＳＣＡＤＡ２０１から受信する充放電指令値を蓄電池評価部１１４の情報記憶部１５１に蓄積し（３０２）、分析部１５２が所定の充電量範囲（評価範囲）に属する充放電指令値の分布（対象指令値分布）を生成する（Ｓ３０３）。所定の充電量範囲（評価範囲）に属する充放電指令値が受信されるごとに対象指令値分布を更新してもよいし、一定時間ごとに当該分布を更新してもよいし、後述のステップ３０５でＹＥＳに進むときに、当該分布を一度に生成してもよい。
【００６５】
一方、蓄電システムの充放電制御部１１１は、ＳＣＡＤＡ２０１から受信する充放電指令値をＡＣ／ＤＣ変換機１１２への充放電命令に変換して出力し、ＡＣ／ＤＣ変換機１１２は当該充放電命令に従って、蓄電池１１３を充放電させる。蓄電池評価部１１４は、蓄電池１１３の充放電時に測定される電圧、電流、温度等の電池情報を取得し、取得した電池情報を情報記憶部１５１に記憶する（３０１）。ＱＶデータ生成部１５６は、処理開始後、情報記憶部１５１に記憶された電池情報に基づき、充電量と電圧値との複数の対応データからなるＱＶデータを生成し（３０４）、分布等価判定部１５３は、所定の充電量範囲に属する対応データ数（サンプル数）が所定値以上存在するかを検査する（Ｓ３０５）。対応データ数が所定値未満の場合は、ステップ３０１に戻り、対応データ数が所定値以上の場合は、分布等価判定部１５３は、対象指令値分布が、基準指令値分布に等価かを判定する。両者が等価でない場合は、ステップ３０１に戻る。両者が等価の場合は、特徴量算出部１５８が、上記の所定の充電量範囲内の対応データの電圧値から、電圧値の分布である電圧分布（Ｖ分布）を生成し、当該電圧分布から、電圧値のばらつきに関する特徴量を算出する（３０７）。特徴量として例えば、標準偏差または分散等を計算する。
【００６６】
ＳｏＨ算出部１５９は、予め与えられた劣化状態評価データに基づき、特徴量算出部１５８で算出された特徴量から劣化状態（ＳｏＨ）を計算する（３０８）。この際、蓄電装置の温度と、上記の式（３）から特徴量を補正し、補正後の特徴量と劣化状態評価データから、ＳｏＨを計算してもよい。
【００６７】
メンテナンス計画部１６０は、ＳｏＨの値に基づき、蓄電装置の稼働状態を判断し、稼働可の状態であれば、ステップ３０１に戻る。あるいは予め定めた時間が経過している場合や、管理者から終了指示が与えられた場合など、所定の終了条件が成立した場合は、処理を終了してもよい。また、稼働状態が稼働可の状態であるが、蓄電池の余寿命期間内にメンテナンスの必要があると判断された場合は、メンテナンス・コールのメッセージをＥＳＳ監視システム３０１に送信し（３１１）、ステップ３０１に戻る。あるいは上記の所定の終了条件が成立した場合は、処理を終了してもよい。また、稼働状態が稼働不可のときは、故障アラートのメッセージをＥＳＳ監視システム３１０に送信し（３１０）、本処理を終了する。
【００６８】
本実施形態では、基準指令値分布は１つのみ用意されていたが、複数の基準指令値分布と複数の劣化状態評価データを用意しておくことで、様々な充放電パターンの充放電指令値群に対応可能である。この場合、対象指令値分布が複数の基準指令値分布のそれぞれと等価かを判定し、等価と判定された基準指令値分布に対応する劣化状態評価データを用いて劣化評価を行えばよい。
【００６９】
また  所定の充電量範囲を２以上設定し、各充電量範囲に対応する基準指令値分布と劣化状態評価データを用意してもよい。この場合、充電量範囲ごとに、上述した本実施形態の処理を行い、指令値分布と基準指定値分布が等価であると判断された充電量範囲に基づいて、前述した処理を行ってもよい。複数の充電量範囲で両分布が等価であると判断された場合は、いずれか１つの充電量範囲に対応する劣化状態（ＳｏＨ）を採用してもよいし、最初に両分布が等価であると判断された方の充電量範囲に対応する劣化状態を採用してもよいし、複数の劣化状態を総合判断してもよい。例えば複数のＳｏＨの平均、中央値、最大値、最小値等を採用してもよいし、これ以外の方法でもよい。あるいは、等価な基準指令値分布が複数存在する場合は、例えば最も等価な基準指令値分布（前述した検定でｔ０が最も大きなものなど）を選択してもよい。
【００７０】
本実施形態では、対象指令値分布は、所定の充電量範囲に属する充放電指令値（電力指令値）の分布であったが、別の形態として、充放電指令値の時間による一次微分値（ｄＰ／ｄｔ）の分布でもよい。この場合、基準指令値分布も、例えば充放電指令値の時間による一次微分と頻度との基準となる関係を表す分布とし、必要に応じて、これまでの説明の充放電指令値を、充放電指令値の時間による一次微分値と読み替えることで、これまでと同様にして処理を実施できる。これにより、電力変化の等価性を担保することができる。
【００７１】
以上、本発明の実施形態によれば、電力系統４０１の周波数変動抑制など、電力系統４０１に対して入出力する電流（充放電電流）が連続的に可変する蓄電システム１０１（ＥＳＳ）において、周波数変動抑制などＥＳＳとしての機能を稼働させつつ（蓄電システム１０１を停止させることなく）、蓄電システム１０１の電池状態を評価することが可能となる。
【００７２】
図１４は、本発明の実施形態に係る蓄電システムにおける蓄電池評価部１１４および充放電制御部１１１のハードウェア構成例を示す。図１４のハードウェア構成は、ＣＰＵ６１、入力部６２、表示部６３、通信部６４、主記憶部６５、外部記憶部６６を備え、これらはバス６７により相互に通信可能に接続される。
【００７３】
入力部６２は、蓄電池１１３で測定された電池情報を配線等を介して取得する。出力部６３は、ＡＣ／ＤＣ変換機１１２に充放電命令を出力する。通信部６４は、無線または有線の通信手段を含み、ＳＣＡＤＡ２０１およびＥＳＳ監視システム３０１と、それぞれ所定の通信方式で通信を行う。入力部６２、出力部６３および通信部６４は、それぞれ別個の集積回路等の回路で構成されていてもよいし、単一の集積回路等の回路で構成されてもよい。
【００７４】
外部記憶部６６は、例えば、ＨＤＤ、ＳＳＤ、メモリ装置、ＣＤ−Ｒ、ＣＤ−ＲＷ、ＤＶＤ−ＲＡＭ、ＤＶＤ−Ｒ等の記憶媒体等を含む。外部記憶部６６は、蓄電池評価部および充放電制御部の機能を、プロセッサであるＣＰＵ６１に実行させるためのプログラムを記憶している。また、情報記憶部１５１および電池状態記憶部１５４も、外部記憶部６６に含まれる。ここでは、外部記憶部６６を１つのみ示しているが、複数存在しても構わない。
【００７５】
主記憶部６５は、ＣＰＵ６１による制御の下で、外部記憶部６６に記憶された制御プログラムを展開し、当該プログラムの実行時に必要なデータ、当該プログラムの実行により生じたデータ等を記憶する。主記憶部６５は、例えば揮発性メモリ（ＤＲＡＭ、ＳＲＡＭ等）または不揮発性メモリ（ＮＡＮＤフラッシュメモリ、ＭＲＡＭ等）など、任意のメモリまたは記憶部を含む。主記憶部６５に展開された制御プログラムがＣＰＵ６１により実行されることで、蓄電池評価部１１４および充放電制御部１１１の機能が実行される。
【００７６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７７】
１０１：蓄電システム
１１４：蓄電池評価部
１５１：情報記憶部
１５２：分析部
１５３：分布等価判定部
１５４：電池状態記憶部
１５６：データ生成部
１５８：特徴量算出部
１５９：ＳｏＨ算出部
１６０：メンテナンス計画部
１５５：基準分布データベース
１１１：充放電制御部
１１２：ＡＣ／ＤＣ変換機
１１３：蓄電池
１１４：蓄電池評価部
２０１：ＳＣＡＤＡ
３０１：ＥＳＳ監視システム
４０１：電力系統
４０２：変圧器
【図１】
2017022037.tif 000009
【図２】
2017022037.tif 000010
【図３】
2017022037.tif 000011
【図４】
2017022037.tif 000012
【図５】
2017022037.tif 000013
【図６】
2017022037.tif 000014
【図７】
2017022037.tif 000015
【図８】
2017022037.tif 000016
【図９】
2017022037.tif 000017
【図１０】
2017022037.tif 000018
【図１１】
2017022037.tif 000019
【図１２】
2017022037.tif 000020
【図１３】
2017022037.tif 000021
【図１４】
2017022037.tif 000022
【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
充放電指令値に従って充放電制御される蓄電装置から測定される電流値および電圧値に基づき、前記蓄電装置の充電量と前記電圧値との複数の対応データを生成するデータ生成部と、
前記充放電制御により第１充電量範囲に属する前記対応データが得られた前記充放電指令値である第１充放電指令値の分布が、所定の条件を満たすとき、前記第１充電量範囲に属する前記対応データの前記電圧値の分布に基づいて、前記蓄電装置の劣化状態を評価する劣化評価部と、
を備えた蓄電池評価装置。
【請求項２】
前記第１充放電指令値の分布が、基準分布に等価かを判定し、前記第１充放電指令値の分布が前記基準分布に等価な場合に、前記所定の条件が満たされると判定する判定部
を備えた請求項１に記載の蓄電池評価装置。
【請求項３】
前記判定部は、前記第１充放電指令値の分布が前記基準分布に等価か否かを、ｔ検定により判定する
請求項２に記載の蓄電池評価装置。
【請求項４】
前記第１充電量範囲に属する前記対応データの前記電圧値に基づいて、前記電圧値のばらつきに関する特徴量を算出する特徴量算出部をさらに備え、
前記劣化評価部は、前記特徴量に基づいて前記蓄電装置の劣化状態を評価する
請求項１ないし３のいずれか一項に記載の蓄電池評価装置。
【請求項５】
前記劣化評価部は、前記特徴量と前記蓄電装置の劣化状態値とを対応づけた劣化状態評価データに基づき、前記蓄電装置の劣化状態値を取得し、前記劣化状態値に基づき前記蓄電装置の劣化状態を決定する
請求項４に記載の蓄電池評価装置。
【請求項６】
前記特徴量は、前記電圧値の標準偏差、分散、または、前記標準偏差および前記分散の一方に基づく値である
請求項４または５に記載の蓄電池評価装置。
【請求項７】
前記特徴量算出部は、前記蓄電装置の温度情報をさらに用いて、前記特徴量を算出する
請求項４ないし６のいずれか一項に記載の蓄電池評価装置。
【請求項８】
前記充放電指令値は充放電電力値を指定しており、
前記第１充放電指令値の分布は、前記第１充放電指令値の時間による一次微分値の分布である
請求項１ないし７のいずれか一項に記載の蓄電池評価装置。
【請求項９】
前記劣化評価部は、前記蓄電装置の前記劣化状態に応じた情報を、前記蓄電装置に対する監視システムに、通信ネットワークを介して送信する
請求項１ないし８のいずれか一項に記載の蓄電池評価装置。
【請求項１０】
前記蓄電装置は、
セル、
複数の前記セルを直列または並列または直並列に接続したモジュール、
複数の前記モジュールを直列または並列または直並列に接続した電池盤、または
複数の前記電池盤を直列または並列または直並列に接続した電池アレイ
である、
請求項１ないし９のいずれか一項に記載の蓄電池評価装置。
【請求項１１】
複数のセルを含む複数のモジュールを備える少なくとも１つの電池盤を有する蓄電池と、
充放電指令値に従って、前記蓄電池の充放電制御を行う充放電制御部と、
前記セル、前記モジュールまたは前記電池盤、である蓄電装置から測定される電流値および電圧値に基づき、前記蓄電装置の充電量と前記電圧値との複数の対応データを生成するデータ生成部と、
前記充放電制御により第１充電量範囲に属する前記対応データが得られた前記充放電指令値である第１充放電指令値の分布が、所定の条件を満たすとき、前記第１充電量範囲に属する前記対応データの前記電圧値の分布に基づいて、前記蓄電装置の劣化状態を評価する劣化評価部と、
を備えた蓄電システム。
【請求項１２】
充放電指令値に従って充放電制御される蓄電装置から測定される電流値および電圧値に基づき、前記蓄電装置の充電量と前記電圧値とを対応づけた対応データを生成するデータ生成ステップと、
前記充放電制御により第１充電量範囲に属する前記対応データが得られた前記充放電指令値である第１充放電指令値の分布が、所定の条件を満たすとき、前記第１充電量範囲に属する前記対応データの前記電圧値の分布に基づいて、前記蓄電装置の劣化状態を評価する劣化評価ステップと、
を備えた蓄電池評価方法。
【国際調査報告】
2017022037.tif 000023
2017022037.tif 000024
2017022037.tif 000025
2017022037.tif 000026